(57)【要約】      （修正有）【課題】ＤＴＭＦトーンを用いて無線端末の振る舞いを制御できる装置を提供する。【解決手段】スイッチ２１２は無線端末２０６を含んでいる。スイッチの異なる設定は無線端末内のプロセッサ２１０が異なるデバイスアルゴリズムを使用するようにする。スイッチ自身は無線端末に対してそのＲＪ−１１インターフェース２０８を介してコード信号を加えることにより設定される。このコードはＤＴＭＦトーンのシーケンスであり、これは通常の電話２１４もしくは計算機モデム２０４によって都合よく用意される。単一の無線端末がそこで求めにより再構成できて各種のデバイス２０２，２１４のいずれもとインターフェースをとることができる。【選択図】図２
2011066914.tif 000002
【特許請求の範囲】
【請求項１】
無線端末であって、
（ａ）該無線端末はインターフェースと、該インターフェースに接続されたプロセッサとを含み、
（ｂ）該無線端末は、
（１）該インターフェースと該プロセッサとに接続され、かつ、
（２）該インターフェースを介して該スイッチにより、デュアルトーンマルチプルフリケンシイ（ＤＴＭＦ）トーンのシーケンスの受領に応答してインターフェースアルゴリズムをインボークするために該プロセッサを構成するように構築されているスイッチをさらに含むことを特徴とする無線端末。
【請求項２】
請求項１記載の無線端末であって、さらに、
（ａ）該インターフェースアルゴリズムは第１のインターフェースアルゴリズムであり、また、該ＤＴＭＦシーケンスは第１のＤＴＭＦシーケンスであり、かつ、
（ｂ）該スイッチは、さらに、該インターフェースを介して該スイッチにより、第二のＤＴＭＦシーケンスの受領に応答して第２のインターフェースアルゴリズムをインボークするために該プロセッサを構成するように構築されていることを特徴とする無線端末。
【請求項３】
請求項２記載の無線端末であって、さらに、
（ａ）該第１のインターフェースアルゴリズムはベル（Bell）モデル用のモデムアルゴリズムであり、かつ、
（ｂ）該第２のインターフェースアルゴリズムはＶシリーズモデム用のモデムアルゴリズムであることを特徴とする無線端末。
【請求項４】
無線端末を構成する方法であって、
（ａ）該無線端末はモデムインターフェースと、該インターフェースに接続されたプロセッサとを含み、かつ、
（ｂ）該方法は、
（１）デュアルトーンマルチプルフリケンシイ（ＤＴＭＥ）シーケンスを該インターフェースを介して該無線端末内のスイッチに加える動作と、
（２）該スイッチの制御の下に、該スイッチに該ＤＴＭＦシーケンスを加える該動作に応答してインターフェースアルゴリズムをインボークするために該プロセッサを構成する動作とを含む方法であることを特徴とする方法。
【請求項５】
請求項４記載の方法であって、さらに、
（ａ）該インターフェースアルゴリズムは第１のインターフェースアルゴリズムであり、また該ＤＴＭＦシーケンスは第１のＤＴＭＦシーケンスであり、かつ、（ｂ）該方法はさらに、
（１）第２のＤＴＭＦシーケンスを該インターフェースを介して該スイッチに加える動作と、
（２）該スイッチの制御の下に、該第２のＤＴＭＦシーケンスを該スイッチに加える動作に応答して第２のインターフェースアルゴリズムをインボークするために該プロセッサを構成する動作とを特徴とする方法。
【請求項６】
請求項５記載の方法であって、さらに、
（ａ）該第１のインターフェースアルゴリズムはベル（Bell）モデル用のモデムアルゴリズムであり、かつ、
（ｂ）該第２のインターフェースアルゴリズムはＶシリーズモデム用のモデムアルゴリズムであることを特徴とする方法。
【請求項７】
請求項５記載の方法であって、さらに、該ＤＴＭＦシーケンスを計算機モデム内で生成する段階を備えた方法であることを特徴とする方法。
【請求項８】
請求項５記載の方法であって、さらに、該ＤＴＭＦシーケンスを電話内で生成する段階を備えた方法であることを特徴とする方法。
【請求項９】
請求項５記載の方法であって、さらに、該ＤＴＭＦシーケンスをファックス機内で生成する段階を備えた方法であることを特徴とする方法。
【発明の詳細な説明】
【技術分野】
【０００１】
この発明は無線電話に係り、無線端末を構成することにとくに関係を有している。
【背景技術】
【０００２】
背景となる技術について述べる。無線端末は標準の有線壁ジャックをエミュレートする。標準の電話は、標準のＲＪ−１１インターフェースを用いて、いずれにもプラグ挿入される。標準の有線壁ジャックは、しかしながら、２線もしくは４線ケーブルに取付けられて、アナログ信号を送受する。無線端末は、これとは対照的に、アンテナ上の信号をディジタイズし、変調し、また送信し、あるいはアンテナからの信号を受信して、それを復調してからアナログにそれを変換する。
【０００３】
しかし、標準の電話はＲＪ−１１インターフェースにプラグ挿入されることになる唯一のものではなく、このインターフェースが有線壁ジャックに対するものであっても無線端末に対するものであってもそれが言える。ファックス機や、計算機（及び異なるモデムでBell（ベル）形式とかＶシリーズ形式を使用している異なる計算機）や、数多くの他の装置はすべてが標準のＲＪ−１１インターフェースを使用するように構成されている。各装置はそこから流れるデータを圧縮し（またそこへ流れるデータを解圧縮し）、そのやり方はそこに一番よく適したものでされ、他の装置により使用されるデータ圧縮方法とは無関係となっている。
【０００４】
データ圧縮方法の広い範囲の種類のものは、有線壁ジャックに対しては問題となってはいない。アナログローカルループ（一般には銅線のものである）がジャックと電話会社所有の装置の第１の部品との間に存在し、このローカルループはかなり広い帯域幅を有している。何れもの合理的なデータ圧縮方法が便宜を提供できる。さらに、アナログ有線ローカルループが制限を課する限りでは、この制限は、手許にある装置にとってデータ圧縮方法を巧みに作るのに熟慮されてきた。設置された装置の大きな基礎となるものが存在していて、その各々はかなり小さな数の圧縮方法の１つを用いている。
【０００５】
しかし、無線端末を備えると、ローカルループで電話会社装置（基地局）の第１の部品に向けたものは、ずっと狭い帯域幅をもっていて、しかもディジタルである。ディジタイズするプロセスは使用されるデータ圧縮方法に注意深く整合されなければならない。したがって、無線端末であって、例えばBellモデムを用いる計算機とインターフェースをとるように設計されているものは、もっと近代的なモデムであるＶシリーズモデムを用いる別の計算機と一緒に適切に働かなくなってしまい、逆の場合についても同じことが言える。Bellモデムは、とりわけ毎秒１２００ビット以下でだけ動作する。この速度より上では、すべてのモデムはＶシリーズを用いている。もしユーザが２台の計算機をもっていて、１つがBellモデムを伴い、また１つがＶシリーズモデムを伴うとすると、このユーザは２つの無線端末をもつ必要がある。このことはこのユーザが同時に両方の計算機／モデム／無線端末組合せを決して使用することがない場合でも真実となる。それでもなおそのユーザがその者のファックス機に対して第３の無線端末を必要とし、ある種の他の装置に対して第４の端末をもつといったことが必要となる。
【０００６】
複数の無線端末を要件とすることは無駄なことである。それでも長い間、支払いをする必要経費と考えられてきた。代りとなるのは、有線使用として設計された装置についての大規模な設置をしてきた基盤を放棄して、その上で無線使用のために設計された装置についての新しい基盤を作るということである。これは完全な良品装置を廃棄するという無駄をするというだけでなく、複数の装置を必要とするということを作り出している。複数の装置の１つは無線用であり、１つは有線用である。これは複数の無線端末をもつ現在のシステムよりもなお一層出費を要するものである。
【発明の概要】
【０００７】
この発明の概要を開示する。出願人らは、これまでの装置及び無線端末により交換される信号の物理特性は装置が何であるかには関係なく、比較可能な同等のものであることに気付いた。無線端末のハードウェアは、一つの形式の装置について正しい電圧と周波数と電力レベルとを作ることができれば、他の形式の装置についても同様に正しい電圧と周波数と電力レベルとを作ることが一般に可能である。この能力はすべての装置が有線網で互換性（両立性）があるとする要件からもたらされたものである。装置間の顕著な差異は信号の物理特性ではなく、それを作るために使用される装置アルゴリズムである。
【０００８】
出願人らはそこで無線端末内にスイッチを用意する。スイッチの異なる設定は無線端末内のプロセッサが異なる装置アルゴリズムを用いるようにさせるようにする。スイッチ自体はコード信号を無線端末に向けてそのＲＪ−１１インターフェースを介して加えることにより設定される。このコードはデュアルトーンマルチフリケンシイ（ＤＴＭＦ）トーンであり、これは装置自身によって好都合に用意できるし、あるいは通常の電話もしくは他のいずれかの装置によって好都合に用意できる。
【０００９】
この発明は計算機モデムに限定されず、いずれの装置にも応用される。この発明を用いると、ユーザはＤＴＭＦトーンを用いて無線端末の振舞いを制御でき、それはどんな装置が端末を使用しているかとは無関係である。
【図面の簡単な説明】
【００１０】
【図１】図１はデータモデムに応用された先行技術１００のブロック図を示す。
【図２】図２はデータモデムに応用されたこの発明の装置２００の実施例のブロック図を示す。
【図３】図３はデータモデムに応用されたこの発明の方法３００の実施例のブロック図を示す。
【図４】図４はより一般的に見たこの発明の装置４００の実施例のブロック図を示す。
【図５】図５はより一般的に見たこの発明の方法５００の実施例のブロック図を示す。
【発明を実施するための形態】
【００１１】
好ましい実施形態について以下に詳細に記述する。図１はデータモデムに適用された先行技術１００のブロック図である。第１の計算機１０２はBellモデム１０４とインターフェースをとり、モデム１０４は今度はBell無線端末１０６とインターフェース１０８を介してインターフェースをとっている。このインターフェースは標準のＲＪ−１１インターフェースであるのがよい。Bell無線端末は遠隔装置（図示せず）とアンテナ１１０を介して通信する。
【００１２】
同じように、第２の計算機１１２はＶシリーズモデム１１４とインターフェースをとり、これが今度はＶシリーズ無線端末１１６とインターフェース１１８を介してインターフェースをとっている。このインターフェースも標準のＲＪ−１１インターフェースであるのがよい。Ｖシリーズ無線端末は遠隔装置（図示せず）とアンテナ１２０を介して通信する。
【００１３】
電話１２２はその端末の計算機が使用していないことを条件にいずれの無線端末１０６，１１６を使用できる。モデム１０４，１１４はそれぞれの計算機１０２，１１２の外部にあると示されているが、内部にあってもよい。
【００１４】
図２はこの発明の装置２００の実施形態のブロック図でデータモデムに適用されている。計算機２０２はモデム２０４とインターフェースをとっている。モデムはBellモデムかＶシリーズモデムかのいずれであってもよくて、規格が知れている他のモデムでもよい。このモデムは今度はこの発明の無線端末２０６とモデムインターフェース２０８を介してインターフェースをとる。このモデムインターフェースはＲＪ−１１が好い。
【００１５】
無線端末２０６内のプロセッサ２１０はモデムインターフェース２０８に接続されている。無線端末はまたスイッチ２１２を含み、それがモデムインターフェースとプロセッサとに接続されている。スイッチはプロセッサがモデムアルゴリズムをインボークするように構成される構造となっていて、インボークはモデムインターフェースを介してスイッチによりモデムコードを受領するのに応答して行なわれる。
【００１６】
モデムコードはデュアルトーンマルチフリケンシイ（ＤＴＭＦ、ときには“タッチトーン”と呼ばれる）トーンのシーケンスで成る。ＤＴＭＦトーンは電話２１４で生成されるのがよいが、計算機２０２で生成することもできる。計算機は一般に適当とされる信号をモデム２０４に送り、そこで計算機の指揮の下でこのトーンを生成する。理論的には計算機はＤＴＭＦ機能をその中に組込んでもつことができるが、好ましいことではない。
【００１７】
無線端末２０６にとっては唯一のモデムアルゴリズムをインボークすることが可能であるが、計算機にとっては複数のモデムアルゴリズムを同時にインボークすることができるようにするのがよい。この場合にモデムアルゴリズムで上記で挙げたものは第１のモデムアルゴリズムであり、モデムコードは第１のモデムコードである。そこでスイッチ２１２はさらに、プロセッサ２１０が第２のモデムコードの受領（モデムインターフェースを介してのスイッチによる受領）に応答して第２のモデムアルゴリズムをインボークするように構成される構造となっている。第２のモデムコードはまたＤＴＭＦトーンのシーケンスを備えている。スイッチに向けてモデムコードを新しく適用することはそれぞれが無線端末を新しい形式のモデム２０４とインターフェースをとるように再構築する。
【００１８】
BellアルゴリズムをインボークするためのＤＴＭＦの便利なシーケンスは“#MBELL”（＃６２３５５）である。ＶシリーズアルゴリズムをインボークするためのＤＴＭＦの便利なシーケンスは“#MVSER”（＃６８７３７）である。
【００１９】
電話２１４をモデムインターフェース２０８にプラグ差込みすることと、電話のキーボード内にモデムコードを入力することとは呼を実際に置くという効果をもっていない。それがすることのすべては無線端末２０６を構築して、モデム２０４と適切にインターフェースをとることができるようにすることである。ユーザはどんな形式のモデムを自分がもっているかを知っているので、どんなコードを入力するかをユーザは知っている。
【００２０】
電話２１４を介してモデムコードを入力することは、電話がいつでもＤＴＭＦトーンを作るので好ましい。しかし、一般の計算機２０２でモデム２０４に接続されているものはフォーンダイヤラ（Phone Dialer）の特徴を有している。この特徴は電話が利用できないときとか、ユーザが電話自体に代ってこのフォーンダイヤラ特徴を使う方がより便利であると見ているときには使用できる。
【００２１】
スイッチ２１２は何らかの便利なやり方でプロセッサ２１０を構成してよく、この構成は完全に便利なものとなってよい。例えばBellファームウェア２１４のブロックと、Ｖシリーズファームウェア２１６のブロックとはスイッチ２１２により切換えられてよい。ソフトウェアによる実施も当業者にとってはあまり得ることである。
【００２２】
図２はプロセッサ２１０が直接にアンテナ２１８とインターフェースをとっている。実際には、無線端末２０６は追加の装置（増幅器、送信機など）を含むことになるものの、これはこの発明の何らの部品を形成しないので、これ以上の記述はしない。
【００２３】
図３はこの発明をデータモデムに応用するときの方法３００の実施形態のブロック図である。開始３０２後に、モデムインターフェースを介して無線端末内のスイッチにモデムコードを与える３０４。この行為はスイッチの制御の下でプロセッサを構成してモデムアルゴリズム３０６をインボークするようにしている。これが方法を終らせる３０８。前のように、モデムアルゴリズムは第１のモデムアルゴリズムであり、またモデムコードは第１のモデムコードであるのが好い。そうだとして、後に、第２のモデムコードがモデムインターフェースを介してスイッチに与えられてプロセッサをスイッチの制御の下に構成して第２のモデムアルゴリズムを、スイッチへの第２のモデムコードの付与行為に応答して、インボークするようにする。
【００２４】
図４は、この発明をより一般的に眺めたこの発明の装置４００の実施例のブロック図である。３つの変更があるものの、概ね図２に従っている。第１は、計算機２０２と、モデム２０４と、電話２１４とがＤＴＭＦソース４０２と置換されている。第２は、ＲＪ−１１インターフェース４０８がここでは別な特殊性を伴わずにインターフェースとなっていて、モデムインターフェース２０８を必要としていない。第３はBellファームウェア２１４とＶシリーズファームウェア２１６とが第１  ４１４と第２  ４１６とのファームウェアで置換されていることである。前のように、ソフトウェアによる実施が使われてもよい。
【００２５】
こういった変更は２つのことを示している。第１には電話２１４とモデム２０４とが同時にＲＪ−１１インターフェース４０８に接続される必要はないことである。無線端末２０６を特定の装置用に構成し、併せてその装置が端末に取付けられるようにすることは便利なことであろう。しかしながら、端末を一度だけ、恐らくは電話と一緒に構成することにとって便利ということになるのであって、その後は装置を変更しないということである。各装置にとっては、すなわちＤＴＭＦソース４０２にとっては、端末がそれ自体をパワーアップもしくは他の好都合な機械に構成することにより適切に構成されることを確かにすることはさらに便利なことであろう。
【００２６】
第２には、スイッチ２１２がファームウェア４１４，４１６の一方または他方をインボークし続けるが、こういったファームウェアがモデムの特定形式にとって固有のものであるファームウェアとなっている必要はないことである。端末２０６がモデムを構成しているという必要性も全くない。ファックス機とか他の装置として構成されるようにできる。
【００２７】
２つのファームウェア４１４，４１６が示されている。ファームウェアの都合よい数が各々にとって違っているＤＴＭＦコードで使用できるし、あるいはそれと等価なソフトウェアでも使用できる。
【００２８】
図５はもっと一般的に眺めたこの発明の方法５００の実施形態のブロック図である。特定の第３の段階３０６“モデムアルゴリズムをインボークする”がもっと一般的な第３の段階５０６“インターフェースアルゴリズムをインボークする”を除けば概ね図３に従っている。
【００２９】
ここで産業上の応用についてみると、この発明は産業界での応用開発にあてることができ、単一の無線端末を用意して、それがいくつかの異なる形式の装置とインターフェースをとることができるようにしたいときにはいつでも作成できかつ使用できる。ここに示した装置と方法の個々の部品は互に別体で離れているとしたが、完全に従来形のものでよく、特許請求の範囲で述べているそれらの組合せであってよい。
【００３０】
各種の装置と方法とのモードを記述したが、本願発明の精神と範囲とはそれに限定されるものではなく、特許請求の範囲の記載とその均等物とによって限定されるものと解されたい。
【図１】
2011066914.tif 000003
【図２】
2011066914.tif 000004
【図３】
2011066914.tif 000005
【図４】
2011066914.tif 000006
【図５】
2011066914.tif 000007
【手続補正書】
【提出日】平成22年11月22日(2010.11.22)
【手続補正１】
【補正対象書類名】特許請求の範囲
【補正対象項目名】請求項１
【補正方法】変更
【補正の内容】
【請求項１】
無線端末であって、
（ａ）該無線端末はデュアルトーンマルチプルフリケンシイ（ＤＴＭＦ）トーンのシーケンスを受信するように構成されたインターフェースと、複数のインターフェースアルゴリズムの一つをインボークするように該インターフェースに接続されたプロセッサとを含み、
（ｂ）該無線端末は、更にスイッチを含み、該スイッチは、
（１）該インターフェースと該プロセッサとに接続され、かつ、
（２）該インターフェースを介して該スイッチにより、受信されたデュアルトーンマルチプルフリケンシイ（ＤＴＭＦ）トーンのシーケンスに応答して選択された一つのインターフェースアルゴリズムをインボークするように該プロセッサが構成されるように構築されていることを特徴とする無線端末。
【手続補正２】
【補正対象書類名】特許請求の範囲
【補正対象項目名】請求項４
【補正方法】変更
【補正の内容】
【請求項４】
無線端末を構成する方法であって、
（ａ）該無線端末はデュアルトーンマルチプルフリケンシイ（ＤＴＭＦ）トーンのシーケンスを受信するように構成されたモデムインターフェースと、複数のインターフェースアルゴリズムの一つをインボークするように該インターフェースに接続されたプロセッサとを含み、かつ、
（ｂ）該方法は、
（１）前記デュアルトーンマルチプルフリケンシイ（ＤＴＭＦ）トーンのシーケンスを該インターフェースを介して該無線端末内のスイッチに加える動作と、
（２）該スイッチの制御の下に、該スイッチに該ＤＴＭＦトーンのシーケンスを加える該動作に応答して選択された一つのインターフェースアルゴリズムをインボークするために該プロセッサを構成する動作とを含む方法であることを特徴とする無線端末を構成する方法。
【外国語明細書】
2011066914000001.pdf